(57)【要約】      （修正有）【課題】投稿者とユーザーとの接触を回避させる投稿情報の表示システムを提供する。【解決手段】投稿情報の表示システムを構成するＳＮＳサーバ２００は、投稿者によって投稿された投稿情報を受信する受信手段と、受信した投稿情報を蓄積する蓄積手段と、投稿情報に位置情報が含まれているか否かを判定する判定手段と、判定手段の判定結果に基づき投稿情報を選択する選択手段と、スマートフォン１００からの要求に応じて、選択された投稿情報を端末装置に送信する送信手段とを含む。スマートフォン１００は、ＳＮＳサーバ２００に対して投稿情報の送信を要求する要求手段と、要求手段に応答して送信された投稿情報を表示する投稿情報表示手段とを有する。選択手段は、投稿情報に位置情報が含まれていると判定された場合には、現在時刻から一定期間内の投稿情報を選択せず、投稿情報に位置情報が含まれていない場合には、すべての投稿情報を選択可能である。【選択図】図３
2014135024.tif 000002
【特許請求の範囲】
【請求項１】
投稿情報を配信可能なサーバと、サーバからの投稿情報を表示可能な端末装置とを備えた投稿情報の表示システムであって、
前記サーバは、
投稿者によって投稿された投稿情報を受信する受信手段と、
受信した投稿情報を蓄積する蓄積手段と、
前記投稿情報に位置情報が含まれているか否かを判定する判定手段と、
前記判定手段の判定結果に基づき投稿情報を選択する選択手段と、
端末装置からの要求に応じて、前記選択手段により選択された投稿情報を端末装置に送信する送信手段とを含み、
前記端末装置は、
前記サーバに対して投稿情報の送信を要求する要求手段と、
前記要求手段に応答して前記送信手段によって送信された投稿情報を表示する投稿情報表示手段と、
を有する表示システム。
【請求項２】
前記選択手段は、前記投稿情報に位置情報が含まれていると判定された場合には、現在時刻から一定期間内の投稿情報を選択せず、前記投稿情報に位置情報が含まれていない場合には、すべての投稿情報を選択可能である、請求項１に記載の表示システム。
【請求項３】
投稿情報を配信可能なサーバと、サーバからの投稿情報を表示可能な端末装置とを備えた投稿情報の表示システムであって、
前記サーバは、
投稿者によって投稿された投稿情報を受信する受信手段と、
受信した投稿情報を蓄積する蓄積手段と、
前記端末装置からの要求に応じて投稿情報を端末装置に送信する送信手段とを含み、
前記端末装置は、
前記サーバに対して投稿情報の送信を要求する要求手段と、
前記要求手段に応答して送信された投稿情報に位置情報が含まれているか否かを判定する判定手段と、
前記判定手段の判定結果に基づき投稿情報を選択する選択手段と、
前記選択手段により選択された投稿情報を表示する投稿情報表示手段と、
を有する表示システム。
【請求項４】
前記選択手段は、投稿情報に位置情報が含まれていると判定された場合には、現在時刻から一定期間内の投稿情報を選択せず、投稿情報に位置情報が含まれていない場合には、すべての投稿情報を選択可能である、請求項３に記載の表示システム。
【請求項５】
投稿情報を配信可能なサーバと、サーバからの投稿情報を表示可能な表示側の端末装置と、投稿情報をサーバに投稿する投稿側の端末装置を備えた投稿情報の表示システムであって、
前記投稿側の端末装置は、
前記投稿情報を入力する操作手段と、
前記投稿側の端末装置の位置情報を取得する取得手段と、
前記投稿情報に位置情報が含まれているか否かを判定する判定手段と、
前記操作手段から前記投稿情報の送信指示がされたとき、前記判定手段により前記投稿情報に位置情報が含まれていると判定された場合には、現在時刻から一定時間後に前記投稿情報を前記サーバに送信し、前記判定手段により前記投稿情報に位置情報が含まれていないと判定された場合には、前記送信指示がされた時点で前記投稿情報を前記サーバに送信する送信手段とを有し、
前記サーバは、
前記投稿側の端末装置から投稿情報を受信する受信手段と、
受信した投稿情報を蓄積する蓄積手段と、
前記表示側の端末装置からの要求に応答して、投稿情報を送信する送信手段とを有し、
前記表示側の端末装置は、
前記サーバに対して投稿情報の送信を要求する要求手段と、
前記要求手段に応答して送信された投稿情報を受け取り、当該投稿情報を表示する投稿情報表示手段とを有する、表示システム。
【請求項６】
前記投稿側の端末装置は、前記操作手段から前記投稿情報の送信指示がされ、かつ、前記判定手段により前記投稿情報に位置情報が含まれていると判定された場合に、前記投稿情報の送信時間を受け付ける受付画面を表示する受付画面表示手段を更に備え、
ユーザが前記操作手段を操作することによって、前記送信時間を決定する、請求項５に記載の表示システム。
【請求項７】
前記投稿者は予め定められた人物である、請求項１ないし６いずれか１つに記載の表示システム。
【請求項８】
前記投稿情報は、前記予め決められた人物を写した静止画または動画を含み、前記投稿情報表示手段は、前記静止画または動画を表示する、請求項７に記載の表示システム。
【請求項９】
投稿情報を配信可能なサーバと、サーバからの投稿情報を表示可能な端末装置とを備えた投稿情報の表示システムの表示方法であって、
前記サーバは、
投稿者によって投稿された投稿情報を受信する受信ステップと、
受信した投稿情報を蓄積する蓄積ステップと、
前記投稿情報に位置情報が含まれているか否かを判定する判定ステップと、
前記判定結果に基づき投稿情報を選択する選択ステップと、
端末装置からの要求に応じて、前記選択された投稿情報を端末装置に送信する送信ステップとを含み、
前記端末装置は、
前記サーバに対して投稿情報の送信を要求する要求ステップと、
前記要求に応答して前記送信ステップによって送信された投稿情報を表示する表示ステップと、
を有する表示方法。
【請求項１０】
投稿情報を配信可能なサーバと、サーバからの投稿情報を表示可能な端末装置とを備えた投稿情報の表示システムの表示方法であって、
前記サーバは、
投稿者によって投稿された投稿情報を受信する受信ステップと、
受信した投稿情報を蓄積する蓄積ステップと、
前記端末装置からの要求に応じて投稿情報を端末装置に送信する送信ステップとを含み、
前記端末装置は、
前記サーバに対して投稿情報の送信を要求する要求ステップと、
前記要求に応答して送信された投稿情報に位置情報が含まれているか否かを判定する判定ステップと、
前記判定結果に基づき投稿情報を選択する選択ステップと、
前記選択された投稿情報を表示する表示ステップと、
を有する表示方法。
【請求項１１】
投稿情報を配信可能なサーバと、サーバからの投稿情報を表示可能な表示側の端末装置と、投稿情報をサーバに投稿する投稿側の端末装置を備えた投稿情報の表示システムの表示方法であって、
前記投稿側の端末装置は、
前記投稿情報を入力する操作ステップと、
前記投稿側の端末装置の位置情報を取得する取得ステップと、
前記投稿情報に位置情報が含まれているか否かを判定する判定ステップと、
前記操作ステップから前記投稿情報の送信指示がされたとき、前記判定ステップにより前記投稿情報に位置情報が含まれていると判定された場合には、現在時刻から一定時間後に前記投稿情報を前記サーバに送信し、前記判定ステップにより前記投稿情報に位置情報が含まれていないと判定された場合には、前記送信指示がされた時点で前記投稿情報を前記サーバに送信する送信ステップとを有し、
前記サーバは、
前記投稿側の端末装置から投稿情報を受信する受信ステップと、
受信した投稿情報を蓄積する蓄積ステップと、
前記表示側の端末装置からの要求に応答して、投稿情報を送信する送信ステップとを有し、
前記表示側の端末装置は、
前記サーバに対して投稿情報の送信を要求する要求ステップと、
前記要求に応答して送信された投稿情報を受け取り、当該投稿情報を表示する表示ステップとを有する、表示方法。
【請求項１２】
サーバから投稿情報を受信して表示可能な端末装置であって、
前記サーバに対して投稿情報の配信を要求する要求手段と、
前記要求手段に応答して送信された投稿情報に位置情報が含まれているか否かを判定する判定手段と、
前記判定手段の判定結果に基づき投稿情報を選択する選択手段と、
前記選択手段により選択された投稿情報を表示する投稿情報表示手段と、
を有する端末装置。
【請求項１３】
前記選択手段は、前記投稿情報に位置情報が含まれていると判定された場合には、現在時刻から一定期間内の投稿情報を選択せず、前記投稿情報に位置情報が含まれていない場合には、すべての投稿情報を選択する、請求項１２に記載の端末装置。
【請求項１４】
サーバに投稿情報を送信可能な端末装置であって、
前記投稿情報を入力及び前記投稿情報の送信指示を行う操作手段と、
位置情報を取得する取得手段と、
前記投稿情報に位置情報が含まれているか否かを判定する判定手段と、
前記送信指示がされたとき、前記判定手段により前記投稿情報に位置情報が含まれていると判定された場合には、現在時刻から一定時間後に前記投稿情報を前記サーバに送信し、前記判定手段により前記投稿情報に位置情報が含まれていないと判定された場合には、前記送信指示がされた時点で前記投稿情報を前記サーバに送信する送信手段と、
を有する端末装置。
【請求項１５】
前記送信指示がされ、かつ、前記判定手段により前記投稿情報に位置情報が含まれていると判定された場合に、前記投稿情報の送信時間を受け付ける受付画面を表示する受付画面表示手段を更に備え、
ユーザが前記操作手段を操作することによって、前記送信時間を決定する、
請求項１４に記載の端末装置。
【請求項１６】
サーバから投稿情報を受信して表示可能な端末装置によって実行されるプログラムであって、
前記端末装置に、
前記サーバに対して投稿情報の配信を要求するステップと、
前記要求に応答して送信された投稿情報に位置情報が含まれているか否かを判定するステップと、
前記判定結果に基づき投稿情報を選択するステップと、
前記選択された投稿情報を表示するステップと、
を実行させることを特徴とするプログラム。
【請求項１７】
前記選択するステップは、前記投稿情報に位置情報が含まれていると判定された場合には、現在時刻から一定期間内の投稿情報を選択せず、前記投稿情報に位置情報が含まれていない場合には、すべての投稿情報を選択する、
請求項１６に記載のプログラム。
【請求項１８】
サーバに投稿情報を送信可能な端末装置によって実行されるプログラムであって、
前記端末装置に、
ユーザから前記投稿情報の入力及び前記投稿情報の送信指示を受け付けるステップと、
位置情報を取得するステップと、
前記投稿情報に位置情報が含まれているか否かを判定するステップと、
前記送信指示を受け付けたとき、前記投稿情報に位置情報が含まれていると判定された場合は、現在時刻から一定時間後に前記投稿情報を前記サーバに送信し、前記投稿情報に位置情報が含まれていないと判定された場合は、前記送信指示がされた時点で前記投稿情報を前記サーバに送信するステップと、
を実行させることを特徴とするプログラム。
【請求項１９】
前記送信指示を受け付け、かつ、前記投稿情報に位置情報が含まれていると判定された場合に、前記投稿情報の送信時間を受け付ける受付画面を表示するステップを前記端末装置に更に実行させ、
前記送信時間は前記ユーザ操作によって決定される、
請求項１８に記載のプログラム。
【発明の詳細な説明】
【技術分野】
【０００１】
本発明は、投稿者から投稿された投稿情報を表示する表示システムに関し、特にサーバから配信された投稿情報を端末装置で表示する技術に関する。
【背景技術】
【０００２】
スマートフォンに代表される携帯型多機能端末等の通信を利用した種々のサービスが展開されている。その中で、近年特に、ツイッター（登録商標）、Ｆａｃｅｂｏｏｋ（登録商標）などのソーシャル・ネットワーキング・サービス（以下、ＳＮＳ）が普及している。ＳＮＳでは、ユーザーは、スマートフォンや携帯電話、パーソナルコンピュータ（以下、ＰＣ）などを用いて様々な情報を投稿し、投稿された情報をＳＮＳサーバに蓄積し、ＳＮＳサーバに蓄積された情報がユーザーによって閲覧することができる。ユーザーは、投稿する際に、投稿した位置と投稿内容を対応付けることができるため、ＳＮＳサーバには、投稿者を識別するアカウント、投稿日時、投稿した位置を示す位置情報、および投稿内容などを含む投稿情報が蓄積される。
【０００３】
サーバ上の電子掲示板へ投稿情報を投稿した際に、投稿内容の変更や削除をしようとしても、そのときには多くの閲覧者によって閲覧されていることがある。このような事態を防止するため、投稿内容を受信してから所定期間後に投稿内容を電子掲示板に掲示するシステムが開示されている（特許文献１）。また、電子掲示板に掲載されるメッセージの掲載時間を、メッセージ掲載希望者の要望に応じて時限管理する電子掲示板装置が開示されている（特許文献２）。
【先行技術文献】
【特許文献】
【０００４】
【特許文献１】特開２００３−２８１０３７号公報
【特許文献２】特許第４３２８４５４号公報
【発明の概要】
【発明が解決しようとする課題】
【０００５】
著名人等による口コミ情報の投稿が行われた際、その投稿情報は、ＳＮＳを利用するユーザーにリアルタイムで提供される。投稿情報に位置情報が含まれている場合には、リアルタイム表示では、投稿者の所在地が判明してしまう。この場合、ユーザーは、その位置情報から投稿者に接触することが可能になり、このことは、投稿者の安全等の観点から必ずしも好ましいとは言えない。特に、投稿者が著名人であれば、投稿者に逢うためにユーザーが殺到することも予期される。
【０００６】
本発明は、このような従来の課題を解決し、投稿者とユーザーとの接触を回避させる投稿情報の表示システム、表示方法、端末装置およびプログラムを提供することを目的とする。
【課題を解決するための手段】
【０００７】
本発明に係る投稿情報の表示システムは、投稿情報を配信可能なサーバと、サーバからの投稿情報を表示可能な端末装置とを備えたものであって、前記サーバは、投稿者によって投稿された投稿情報を受信する受信手段と、受信した投稿情報を蓄積する蓄積手段と、前記投稿情報に位置情報が含まれているか否かを判定する判定手段と、前記判定手段の判定結果に基づき投稿情報を選択する選択手段と、端末装置からの要求に応じて、前記選択手段により選択された投稿情報を端末装置に送信する送信手段とを含み、前記端末装置は、前記サーバに対して投稿情報の送信を要求する要求手段と、前記要求手段に応答して前記送信手段によって送信された投稿情報を表示する投稿情報表示手段と、を有する。好ましくは前記選択手段は、前記投稿情報に位置情報が含まれていると判定された場合には、現在時刻から一定期間内の投稿情報を選択せず、前記投稿情報に位置情報が含まれていない場合には、すべての投稿情報を選択可能である。
【０００８】
本発明に係る投稿情報の表示システムは、投稿情報を配信可能なサーバと、サーバからの投稿情報を表示可能な端末装置とを備えたものであって、前記サーバは、投稿者によって投稿された投稿情報を受信する受信手段と、受信した投稿情報を蓄積する蓄積手段と、前記端末装置からの要求に応じて投稿情報を端末装置に送信する送信手段とを含み、前記端末装置は、前記サーバに対して投稿情報の送信を要求する要求手段と、前記要求手段に応答して送信された投稿情報に位置情報が含まれているか否かを判定する判定手段と、前記判定手段の判定結果に基づき投稿情報を選択する選択手段と、前記選択手段により選択された投稿情報を表示する投稿情報表示手段と、を有する。好ましくは前記選択手段は、投稿情報に位置情報が含まれていると判定された場合には、現在時刻から一定期間内の投稿情報を選択せず、投稿情報に位置情報が含まれていない場合には、すべての投稿情報を選択可能である。
【０００９】
本発明に係る投稿情報の表示システムは、投稿情報を配信可能なサーバと、サーバからの投稿情報を表示可能な表示側の端末装置と、投稿情報をサーバに投稿する投稿側の端末装置を備えたものであって、前記投稿側の端末装置は、前記投稿情報を入力する操作手段と、前記投稿側の端末装置の位置情報を取得する取得手段と、前記投稿情報に位置情報が含まれているか否かを判定する判定手段と、前記操作手段から前記投稿情報の送信指示がされたとき、前記判定手段により前記投稿情報に位置情報が含まれていると判定された場合には、現在時刻から一定時間後に前記投稿情報を前記サーバに送信し、前記判定手段により前記投稿情報に位置情報が含まれていないと判定された場合には、前記送信指示がされた時点で前記投稿情報を前記サーバに送信する送信手段とを有し、前記サーバは、前記投稿側の端末装置から投稿情報を受信する受信手段と、受信した投稿情報を蓄積する蓄積手段と、前記表示側の端末装置からの要求に応答して、投稿情報を送信する送信手段とを有し、前記表示側の端末装置は、前記サーバに対して投稿情報の送信を要求する要求手段と、前記要求手段に応答して送信された投稿情報を受け取り、当該投稿情報を表示する投稿情報表示手段とを有する。好ましくは前記投稿側の端末装置は、前記操作手段から前記投稿情報の送信指示がされ、かつ、前記判定手段により前記投稿情報に位置情報が含まれていると判定された場合に、前記投稿情報の送信時間を受け付ける受付画面を表示する受付画面表示手段を更に備え、ユーザが前記操作手段を操作することによって、前記送信時間を決定する。
【００１０】
好ましくは前記投稿者は予め定められた人物である。好ましくは前記投稿情報は、前記予め決められた人物を写した静止画または動画を含み、前記投稿情報表示手段は、前記静止画または動画を表示する。
【００１１】
本発明に係る投稿情報の表示方法は、投稿情報を配信可能なサーバと、サーバからの投稿情報を表示可能な端末装置とを備えた投稿情報の表示システムのものであって、前記サーバは、投稿者によって投稿された投稿情報を受信する受信ステップと、受信した投稿情報を蓄積する蓄積ステップと、前記投稿情報に位置情報が含まれているか否かを判定する判定ステップと、前記判定結果に基づき投稿情報を選択する選択ステップと、端末装置からの要求に応じて、前記選択された投稿情報を端末装置に送信する送信ステップとを含み、前記端末装置は、前記サーバに対して投稿情報の送信を要求する要求ステップと、前記要求に応答して前記送信ステップによって送信された投稿情報を表示する表示ステップと、を有する。
【００１２】
本発明に係る投稿情報の表示方法は、投稿情報を配信可能なサーバと、サーバからの投稿情報を表示可能な端末装置とを備えた投稿情報の表示システムのものであって、前記サーバは、投稿者によって投稿された投稿情報を受信する受信ステップと、受信した投稿情報を蓄積する蓄積ステップと、前記端末装置からの要求に応じて投稿情報を端末装置に送信する送信ステップとを含み、前記端末装置は、前記サーバに対して投稿情報の送信を要求する要求ステップと、前記要求に応答して送信された投稿情報に位置情報が含まれているか否かを判定する判定ステップと、前記判定結果に基づき投稿情報を選択する選択ステップと、前記選択された投稿情報を表示する表示ステップと、を有する。
【００１３】
本発明に係る投稿情報の表示方法は、投稿情報を配信可能なサーバと、サーバからの投稿情報を表示可能な表示側の端末装置と、投稿情報をサーバに投稿する投稿側の端末装置を備えた投稿情報の表示システムのものであって、前記投稿側の端末装置は、前記投稿情報を入力する操作ステップと、前記投稿側の端末装置の位置情報を取得する取得ステップと、前記投稿情報に位置情報が含まれているか否かを判定する判定ステップと、前記操作ステップから前記投稿情報の送信指示がされたとき、前記判定ステップにより前記投稿情報に位置情報が含まれていると判定された場合には、現在時刻から一定時間後に前記投稿情報を前記サーバに送信し、前記判定ステップにより前記投稿情報に位置情報が含まれていないと判定された場合には、前記送信指示がされた時点で前記投稿情報を前記サーバに送信する送信ステップとを有し、前記サーバは、前記投稿側の端末装置から投稿情報を受信する受信ステップと、受信した投稿情報を蓄積する蓄積ステップと、前記表示側の端末装置からの要求に応答して、投稿情報を送信する送信ステップとを有し、前記表示側の端末装置は、前記サーバに対して投稿情報の送信を要求する要求ステップと、前記要求に応答して送信された投稿情報を受け取り、当該投稿情報を表示する表示ステップとを有する。
【００１４】
本発明に係る、サーバから投稿情報を受信して表示可能な端末装置は、前記サーバに対して投稿情報の配信を要求する要求手段と、前記要求手段に応答して送信された投稿情報に位置情報が含まれているか否かを判定する判定手段と、前記判定手段の判定結果に基づき投稿情報を選択する選択手段と、前記選択手段により選択された投稿情報を表示する投稿情報表示手段と、を有する。好ましくは前記選択手段は、前記投稿情報に位置情報が含まれていると判定された場合には、現在時刻から一定期間内の投稿情報を選択せず、前記投稿情報に位置情報が含まれていない場合には、すべての投稿情報を選択する。
【００１５】
本発明に係る、サーバに投稿情報を送信可能な端末装置であって、前記投稿情報を入力及び前記投稿情報の送信指示を行う操作手段と、位置情報を取得する取得手段と、前記投稿情報に位置情報が含まれているか否かを判定する判定手段と、前記送信指示がされたとき、前記判定手段により前記投稿情報に位置情報が含まれていると判定された場合には、現在時刻から一定時間後に前記投稿情報を前記サーバに送信し、前記判定手段により前記投稿情報に位置情報が含まれていないと判定された場合には、前記送信指示がされた時点で前記投稿情報を前記サーバに送信する送信手段と、を有する。好ましくは前記送信指示がされ、かつ、前記判定手段により前記投稿情報に位置情報が含まれていると判定された場合に、前記投稿情報の送信時間を受け付ける受付画面を表示する受付画面表示手段を更に備え、ユーザが前記操作手段を操作することによって、前記送信時間を決定する。
【００１６】
本発明に係るプログラムは、サーバから投稿情報を受信して表示可能な端末装置によって実行されるものであって、前記端末装置に、前記サーバに対して投稿情報の配信を要求するステップと、前記要求に応答して送信された投稿情報に位置情報が含まれているか否かを判定するステップと、前記判定結果に基づき投稿情報を選択するステップと、前記選択された投稿情報を表示するステップと、を実行させることを特徴とする。
【００１７】
本発明に係るプログラムは、サーバに投稿情報を送信可能な端末装置によって実行されるものであって、前記端末装置に、ユーザから前記投稿情報の入力及び前記投稿情報の送信指示を受け付けるステップと、位置情報を取得するステップと、前記投稿情報に位置情報が含まれているか否かを判定するステップと、前記送信指示を受け付けたとき、前記投稿情報に位置情報が含まれていると判定された場合は、現在時刻から一定時間後に前記投稿情報を前記サーバに送信し、前記投稿情報に位置情報が含まれていないと判定された場合は、前記送信指示がされた時点で前記投稿情報を前記サーバに送信するステップと、を実行させることを特徴とする。好ましくは前記送信指示を受け付け、かつ、前記投稿情報に位置情報が含まれていると判定された場合に、前記投稿情報の送信時間を受け付ける受付画面を表示するステップを前記端末装置に更に実行させ、前記送信時間は前記ユーザ操作によって決定される。
【発明の効果】
【００１８】
本発明によれば、投稿情報に位置情報が含まれている場合は、現在時刻から一定期間内の投稿情報の配信や表示を制限することで、ユーザーは、投稿者の投稿情報をリアルタイムで閲覧することができなくなり、投稿者とユーザーとの接触を回避させることができる。
【図面の簡単な説明】
【００１９】
【図１】本発明の実施例に係る投稿情報の表示システムの利用態様の一例を示す図である。
【図２】本発明の実施例に係る投稿情報の表示システムの構成例を示す図である。
【図３】本実施例の投稿情報の表示システムの内部構成の一例を示す図である。
【図４】スマートフォンから投稿情報を投稿するときの動作例を説明するフローチャートである。
【図５】スマートフォンの投稿画面の一例を示す図である。
【図６】投稿者が口コミ等の情報を投稿をしたときに生成される投稿情報の一例を示す図である。
【図７】ＳＮＳサーバの制御部の機能的な一構成例を示すブロック図である。
【図８】ＳＮＳサーバに構成される投稿情報のデータベースの一例を示す図である。
【図９】本実施例の表示システムの動作を説明するフローである。
【図１０】本実施例の投稿情報の位置情報判定および投稿情報の選択動作例を説明するフローチャートである。
【図１１】本実施例の投稿情報の表示例であり、図１１（Ａ）は、リスト状に投稿情報を表示する例であり、図１１（Ｂ）は、地図上に投稿情報を表示する例である。
【図１２】本発明の第２の実施例に係る表示システムの動作を説明するフローである。
【図１３】本発明の第３の実施例に係る表示システムの動作を説明するフローである。
【図１４】本発明の第３の実施例の変形例を説明する図である。
【発明を実施するための形態】
【００２０】
次に、本発明の実施の形態について図面を参照して詳細に説明する。本発明の投稿情報の表示システムで利用される端末装置は、スマートフォン（多機能型携帯電話）、携帯電話、ノート型ＰＣ、タブレット型ＰＣ、パーソナルコンピュータ、その他の通信機能を備えた電子装置であることができ、端末装置は、通信機能を利用してサーバから配信された投稿情報を表示する機能を備えている。また、本発明の端末装置は、ユーザーが歩行中に使用したり、車両等の移動体内で使用することができ、後者の場合、端末装置は、移動体内に設置された車載機器と連携することが可能である。さらに本発明の端末装置は、投稿情報を表示する機能以外に、投稿情報を投稿する機能、ナビゲーション機能、オーディオ・ビデオデータを再生する機能、テレビ・ラジオ放送を受信する機能などを備えることも可能である。
【００２１】
本発明の投稿情報の表示システムで利用されるサーバは、インターネット、イントラネット等のネットワーク上に接続され、投稿者から投稿された投稿情報をデータベース化して記憶装置に蓄積し、サーバにアクセスしたユーザーに投稿情報を配信する。好ましい態様では、投稿者は、予め決められた人物あるいは著名人であり、これらの著名人による投稿情報を、ユーザーに配信する。著名人は、全国または特定の地域に在住する有名人、特定の年齢層の人物、特定のことに専門性をもつ人物、全国または特定の地域で人気のある人物などである。但し、投稿者は、必ずしもこのような著名人に限られず、一般人であってもよい。
【００２２】
投稿者によって投稿される投稿情報のフォーマット等は任意であるが、好ましい態様では、投稿情報には、投稿者を識別する識別情報、投稿内容、投稿者の投稿位置または投稿内容の位置を表す位置情報、投稿日時などが含まれる。但し、位置情報の付加は任意であり、投稿者は、必要に応じて位置情報を省略することができる。好ましい態様では、投稿者を識別する識別情報は、投稿者の静止画または動画を含むことができ、端末装置において投稿情報を表示させるとき、投稿者の静止画または動画を表示させることができる。
【実施例】
【００２３】
次に、本発明の実施例に係る投稿情報の表示システムについて図面を参照して説明する。図１は、本実施例の投稿情報の表示システムのＳＮＳ（Social Network Service）の１つの利用態様を例示する。同図において、タレント、ブロガー、有名人、著名人等の投稿者Ｐ１、Ｐ２、Ｐ３は、自身にとって興味のある口コミ情報を投稿情報としてＳＮＳサーバへアップロードし、それらの投稿情報がＳＮＳサーバのデータベースＤＢに順次蓄積される。投稿者Ｐ１、Ｐ２、Ｐ３は、当該ＳＮＳにおいて予め登録された人物であり、それぞれ固有の識別情報を有している。投稿者Ｐ１、Ｐ２、Ｐ３は、例えば、スマートフォン等を利用して投稿情報をアップロードする。
【００２４】
一方、ユーザーＵ１、Ｕ２、Ｕ３は、例えば、スマートフォンを介してＳＮＳサーバにアクセスし、ＳＮＳサーバから投稿情報をダウンロードする。好ましくは、スマートフォンには、当該ＳＮＳを利用するためのアプリケーションソフトウエアが実装され、当該アプリケーションの実行により、ＳＮＳサーバへのアクセス、投稿情報のダウンロード、投稿情報の表示が実行される。好ましい態様では、ユーザーは、ＳＮＳサーバとの間でユーザーアカウントの認証を行った後、投稿情報の配信の要求がＳＮＳサーバに送信され、ＳＮＳサーバは、当該要求に応答して選択された投稿情報を配信する。スマートフォンに配信された投稿情報は、アプリケーションの制御下においてディスプレイに表示され、ユーザーＵ１、Ｕ２、Ｕ３は、投稿者Ｐ１、Ｐ２、Ｐ３の投稿情報を閲覧することができる。好ましい態様では、ユーザーＵ１は、自分の嗜好に合致した投稿者Ｐ１のみの投稿情報を選択することも可能である。
【００２５】
図２は、本実施例の投稿情報の表示システムの構成例を示す図である。本実施例の表示システム１０は、インターネット等のネットワークＮＷに、サーバ２０、３０、スマートフォン４０、５０、６０、パーソナルコンピュータ７０などが接続される。投稿者は、例えば、スマートフォン４０〜６０またはＰＣ７０を介して投稿情報をＳＮＳサーバ２０、３０に投稿することができる。他方、ＳＮＳのユーザーもまた、スマートフォン４０〜６０やＰＣ７０を介して投稿情報をサーバ２０、３０から取得し、各自の端末で投稿情報を表示させることができる。また、スマートフォン５０が車両に持ち込まれた場合には、スマートフォン５０は、ＵＳＢや近距離無線通信等の接続手段９０により車載機８０に接続され、車載機８０のディスプレイに投稿情報８２を表示させることができる。好ましくは、スマートフォン４０〜６０には、ＳＮＳアプリケーション５２が搭載され、ＳＮＳを利用するとき、当該アプリケーション５２が実行される。
【００２６】
図３は、第１の実施例に係る投稿情報の表示システムの具体的な構成例を示す図である。まず初めに、本例では、投稿者がスマートフォンを利用して投稿情報を投稿する例について説明する。スマートフォン１００は、図３に示すように、ユーザーからの指示を入力する入力部１１０、表示部１２０、スマートフォン１００の現在位置を算出する現在位置算出部１３０、インターネット等を介してサーバ等とデータ通信を行う通信部１４０、データやプログラムなどを記憶可能な記憶部１５０、各部を制御する制御部１６０等の基本構成を含む。ここには図示しないが、スマートフォン１００は、画像を撮像する撮像カメラ、音声を入力するマイクロフォン、音声を出力するスピーカなども搭載する。好ましい態様では、表示部１２０は、タッチパネル入力に対応する。
【００２７】
制御部１６０は、マイクロコントローラまたは中央プロセッサ等を含み、好ましくは、予め用意されあるいはサーバからダウンロードされたアプリケーションソフトウエアまたはプログラムを実行することでＳＮＳの利用を制御する。
【００２８】
ある態様では、投稿者は、レストラン、店、ホテルなど施設を訪問したとき、その施設に関する文章、静止画、動画などの口コミ情報を投稿し、投稿位置を示す位置情報を添付する。図４は、投稿情報の投稿動作を説明するフローチャートである。投稿者は、スマートフォン１００のＳＮＳアプリケーションを起動させる（Ｓ１００）。この起動により、スマートフォン１００は、ＳＮＳサーバ２００との通信が可能になる。好ましくは、ＳＮＳを利用するための条件として、ユーザー認証のためのユーザーアカウント、パスワードなどのログインが求められる。但し、ユーザー認証は、このタイミングに限らず、投稿情報を送信する際に行われるようにしてもよい。
【００２９】
アプリケーションの起動に伴い、スマートフォン１００の現在位置情報が取得される（Ｓ１０２）。現在位置情報の取得の方法は、公知の手段を利用して行われる。例えば、スマートフォン１００がＧＰＳ受信機を搭載している場合にはその緯度、経度の座標情報、ジャイロセンサや加速度センサなどの自立航法センサを内蔵している場合には、その位置情報から現在位置情報が算出される。また、これ以外にも、通信部１４０を介して外部からスマートフォン１００の現在位置情報を取得することができる場合には、その現在位置情報を利用する。
【００３０】
投稿者は、入力部１１０を介して口コミ情報を入力し（Ｓ１０４）、入力が完了すると、投稿情報に関連付けして現在位置情報を付加するか否かを選択する（Ｓ１０６）。この選択は、投稿情報を投稿する際に選択されるものでもよいし、ユーザー設定画面により選択の有無を予め設定しておいてもよい。その後、投稿者によって送信の指示がなされると、投稿情報がＳＮＳサーバに送信される（Ｓ１０８）。
【００３１】
図５にスマートフォンの投稿画面の一例を示す。スマートフォン１００の表示部１２０には、ＳＮＳアプリケーションの起動によって投稿画面が表示される。投稿画面には、入力したメッセージを表示する表示欄１７０、投稿情報に画像情報を添付する場合の画像添付キー１７２、投稿情報にスマートフォン１００の現在位置情報を付加する場合の位置情報付加キー１７４、投稿情報をＳＮＳサーバ２００へアップロードするための送信キー１７６、入力した文字等を削除する削除キー１７８、入力を決定する決定キー１８０、五十音等の文字を入力するキー１８２等が表示される。好ましくは、タッチパネル入力によりキー選択が行われる。
【００３２】
制御部１６０は、投稿画面を介して投稿情報の入力があると、それをＳＮＳサーバに送信すべく投稿情報を作成する。図６は、投稿情報の一例を示す図である。投稿情報は、投稿番号、投稿者ＩＤ、投稿日時、投稿内容、投稿位置情報を含んで構成される。投稿者ＩＤは、投稿者を識別する情報であり、例えば、ＳＮＳサーバの認証で用いられたユーザーアカウント、ユーザー名などを用いることができる。これ以外にも、投稿者を識別できる情報、例えばスマートフォンの電話番号などであってもよい。ここでは、スマートフォンの保有者である投稿者Ｐ１が示されている。投稿日時は、投稿情報が送信されるときの時間情報であり、例えば、○月○日○時○分などの情報である。これは、スマートフォン内の時計情報が利用される。投稿内容は、投稿者が入力したテキスト情報、投稿者がスマートフォンで撮像した画像情報、投稿者がスマートフォンで入力した音声情報を含むことができる。画像情報や音声情報は、公知の圧縮手段により圧縮され、ＭＰＥＧ、ＪＰＥＧなどに加工することができる。投稿位置情報は、上記したように、位置情報取得部１３０で取得されたスマートフォン１００の現在位置情報であり、現在位置情報を付加することが選択された場合には、その位置情報が付加される。投稿番号１の投稿情報には、投稿位置情報として、その緯度、経度を表す「Ｘ１，Ｙ１」が付加されるが、投稿番号３の投稿情報は、位置情報の付加が選択されていないため、投稿位置情報は付加されない。これらの投稿情報は、スマートフォン１００の記憶部１５０に、一定の期間、一定のボリュームで保持することができる。
【００３３】
また、投稿位置情報は、必ずしも現在位置取得部１３０で取得された位置情報に限定されない。上記の投稿情報の作成例では、スマートフォン１００の現在位置取得部１３０によって取得された現在位置を投稿位置情報として、図６の投稿情報に付加するが、実際には、投稿者が必ずしも施設等を訪問しそこで投稿情報を投稿するとは限らない。すなわち、自宅のＰＣや他の場所から投稿情報を投稿することも可能であり、この場合には、現在位置取得部１３０で取得された現在位置と投稿位置とが必ずしも一致しない。従って、投稿情報に含まれる地点情報は、現在位置取得部１３０により取得された位置以外であってもよい。例えば、投稿情報作成時に、スマートフォン１００の記憶部１５０または地図配信サーバに記憶されている地図データにアクセスし、そこから施設または地点を選択し、この施設の位置または地点を投稿位置情報とすることが可能である。あるいは、投稿情報作成時に、投稿内容に施設に関する静止画または動画（施設を撮像した画像、販売商品などを撮像した画像）を含める場合には、これらの画像の撮影位置を投稿位置情報とすることが可能である。また、投稿情報作成時に、投稿内容の文字列とスマートフォン１００の記憶部１５０または地図配信サーバに記憶されている地図データを比較することにより、施設名や住所などの位置を示す情報を抽出し、この抽出された位置を投稿位置情報とすることが可能である。さらに、ユーザーは、自分で住所等の投稿位置情報を入力することも可能である。このように投稿位置情報は、現在位置取得部１３０で取得された現在位置、地図データに記憶された位置情報、あるいはユーザーが入力した位置情報などであることができる。投稿位置情報の決定は、図４のステップＳ１０６の動作において実行され、現在位置取得部１３０による現在位置以外の位置情報に変更する場合には、ユーザーが最終的に投稿位置情報を決定するようにしてもよい。
【００３４】
次に、ＳＮＳサーバについて図３を参照して説明する。ＳＮＳサーバ２００は、通信部２１０、記憶部２２０および制御部２３０の基本構成を含んで構成される。通信部２１０は、ＴＣＰ／ＩＰなどの通信プロトコルにより、ＳＮＳのアプリケーションが起動されたスマートフォンやその他の機器との間で、インターネットやイントラネット等のネットワークを介した通信を可能にする。記憶部２２０は、投稿者から投稿された投稿情報を蓄積し、投稿情報のデータベースを構築する。制御部２３０は、マイクロコントローラまたは中央プロセッサ等を含み、好ましくは、予め用意されたアプリケーションソフトウエアまたはプログラムを実行することでＳＮＳや通信等を制御する。
【００３５】
図７に、ＳＮＳサーバの制御部２３０の機能ブロック図を示す。制御部２３０は、受信した投稿情報のデータベースを構成するデータベース構成部２３２、ユーザーから投稿情報の配信の要求があったとき、投稿情報のデータベースを参照し投稿情報に位置情報が含まれているか否かを判定する位置情報判定部２３４、位置情報判定部２３４の判定結果に基づき投稿情報を選択する投稿情報選択部２３６、投稿情報選択部２３６により選択された投稿情報を送信する投稿情報送信部２３８とを備えている。
【００３６】
データベース構成部２３２は、投稿者から投稿情報を受信すると、それを記憶部２２０に逐次蓄積し、投稿情報のデータベースを構築する。図８は、ＳＮＳサーバ２００の記憶部２２０に蓄積された投稿情報のデータベースの一例である。データベースには、種々の投稿者Ｐ１〜Ｐｎからの投稿情報が登録される。それぞれの投稿情報は、投稿者ＩＤ、投稿日時、投稿内容、投稿位置情報を含む。また、投稿者Ｐ２や最後の投稿者Ｐ１にように、位置情報が付加されていない投稿情報の場合には、投稿位置情報は存在しない（None）。制御部２３０は、このようなデータベースを参照して、投稿者のＩＤ、投稿日時、投稿位置などによって投稿情報を検索、またはソートし、あるいはキーワードなどによって投稿内容を検索することが可能である。また、フラグの設定は、任意であるが、本実施例では、位置情報判定部２３４の判定結果をフラグに反映し、位置情報が含まれている場合にはフラグ「１」、位置情報が含まれていない場合にはフラグ「０」を設定する。
【００３７】
投稿情報判定部２３４は、ＳＮＳのユーザーから投稿情報の配信の要求があると、投稿情報のデータベースを参照し、各投稿情報に投稿位置情報が付加されているか否かを判定する。この判定結果は、上記したようにフラグに設定される。また、投稿情報判定部２３４は、すべての投稿情報について位置情報の有無を判定してもよいが、既に判定されている投稿情報にはフラグが設定されているので、この場合には、フラグが未設定の投稿情報について判定を行うようにしてもよい。さらに、ユーザーからの配信要求に対して、送信する投稿情報に条件が設定されている場合には、当該条件に合致した投稿情報の位置情報の有無を判定する。例えば、ユーザーによって、投稿者Ｐ１の投稿情報の配信要求が指定されている場合には、投稿者Ｐ１の投稿情報を対象に位置情報の有無を判定する。
【００３８】
投稿情報選択部２３６は、位置情報判定部２３４の判定結果に基づき配信すべき投稿情報を選択する。このましい態様では、投稿情報選択部２３６は、投稿情報に位置情報が含まれていない場合には、当該投稿情報を何ら制限を課すことなく自動的に配信すべきものとして選択する。従って、このような投稿情報が投稿された時間とほぼリアルタイムで、当該投稿情報の配信が可能になる。一方、投稿情報に位置情報が含まれている場合には、投稿情報選択部２３６は、現在時刻から一定期間内の投稿情報を非選択とし、これらの投稿情報が配信されないようにする。具体的には、投稿情報選択部２３６は、投稿情報の投稿日時と現在時刻とを比較し、現在時刻から一定期間内の投稿情報を配信すべきものとして選択しない。例えば、一定期間が２時間であれば、現在時刻から２時間以内の投稿日時をもつ投稿情報は選択されず、現在時刻から２時間よりも以前に投稿された投稿情報が選択される。この一定期間は、投稿者とユーザーとの接触を回避させるために必要な値であり、任意に設定が可能である。仮にデフォルト値が設定されている場合には、ユーザー入力によってＳＮＳサーバにおけるその値を変更することができる。投稿情報送信部２３８は、投稿情報選択部２３６によって選択された投稿情報をＳＮＳユーザーに配信する。
【００３９】
次に、本実施例の投稿情報の表示システムにおける投稿情報の表示動作について図９のフローチャートを参照して説明する。ここでは、ＳＮＳユーザーがスマートフォン１００を使用し、スマートフォン１００の表示部１２０に投稿情報を表示させるものとする。
【００４０】
ＳＮＳユーザーは、図３に示すようなスマートフォン１００において、ＳＮＳを利用するためＳＮＳアプリケーションソフトウエアを起動し（Ｓ２００）、次いで、ＳＮＳサーバ２００との間でユーザー認証を実行する（Ｓ２０２）。ユーザー認証が完了すると、制御部１６０は、通信部１４０を介してＳＮＳサーバ２００に対し、投稿情報の配信を要求する（Ｓ２０４）。投稿情報の配信要求は、任意のタイミングで行うことが可能であり、好ましくは、ＳＮＳアプリケーションにより自動的に実行される。但し、ユーザーからの指示に応じて実行されるようにしてもよい。
【００４１】
ＳＮＳサーバ２００が投稿情報の配信要求を通信部２１０を介して受け取ると（Ｓ２０６）、位置情報判定部２３４は、投稿情報データベースを参照し、投稿情報に位置情報が含まれているか否かを判定する（Ｓ２０８）。位置判定結果は、位置情報が含まれている場合には、フラグ「１」、位置情報が含まれていない場合には、フラグ「０」が設定される。次に、投稿情報選択部２３６は、位置情報判定部２３４の判定結果に基づき配信すべき投稿情報を選択する（Ｓ２１０）。そして、投稿情報送信部２３６は、選択された投稿情報をスマートフォン１００へ送信し（Ｓ２１２）、スマートフォン１００は、受信した投稿情報を表示部２１０に表示する（Ｓ２１４）。位置情報が付加されていれば、投稿情報は、現在時刻から一定期間より以前のものであり、位置情報が付加されていなければ、投稿情報は、現在時刻とほぼ同時刻に投稿されたリアルタイムなものも含み得る。
【００４２】
図１０に位置情報判定部２３４および投稿情報選択部２３６の具体的な動作フローを示す。位置情報判定部２３４は、投稿情報に位置情報が含まれるか否かを判定し（Ｓ３００）、位置情報が含まれていない場合には、当該投稿情報を配信すべき投稿情報として選択する（Ｓ３０６）。一方、位置情報が含まれていると判定された場合には、投稿情報選択部２３６は、現在時刻と投稿時間とを比較し、現在時刻から一定期間内のものであるか否かを判定する（Ｓ３０２）。一定期間内でなければ、当該投稿情報は配信すべき投稿情報として選択され（Ｓ３０６）、一定期間内であれば、当該投稿情報は非選択とされる（Ｓ３０４）。このような判定／選択動作が、対象となるすべての投稿情報について成される（Ｓ３０８）。
【００４３】
次に、投稿情報の表示例を図１１に示す。図１１（Ａ）は、スマートフォン１００の表示部１２０に、投稿情報をリスト状に表示させた例である。リスト内には、各投稿情報が配列され、各投稿情報の表示は、投稿者が識別できるように投稿者の画像３１０、投稿内容３１０、投稿時間３２０、画像／音声３３０を含む。また、側部には、投稿情報をスクロールするためのスクロールキー３４０が表示され、下部には、地図表示キー３５０、終了キー３６０が表示される。投稿情報は、現在位置から近い順に並べてもよいし、投稿者ＩＤ順に並べてもよい。ユーザーは、投稿内容３１０を選択することで投稿内容の全体を表示させる拡大画面を表示させたり、あるいは画像／音声３３０を選択することで添付された画像や音声を再生させることができる。さらに、地図表示キー３５０を選択することで、画面を図１１（Ｂ）に示すように地図画面に表示を切り換えることができる。投稿情報に位置情報が付加されている場合には、この画面には、現在時刻から一定期間内の投稿時間をもつ投稿情報は表示されない。このため、ユーザーが投稿情報を閲覧しても、現在時刻近傍での投稿者の所在地を探索することはできず、ユーザーと投稿者との接触が回避される。
【００４４】
図１１（Ｂ）は、地図画面上に投稿情報を表示する例である。好ましい態様では、スマートフォンの表示部１２０には、現在位置Ｓの周辺地図が表示され、その地図上に、配信された投稿情報が合成して表示される。この場合、位置情報が付加されていない投稿情報は、地図上に表示されないことに留意すべきである。位置情報が付加されている投稿情報は、その位置情報に従い地図上に表示されるが、その投稿情報は、現在時刻から一定期間よりも以前の情報であることに留意すべきである。投稿情報は、投稿情報が存在することを示すようにその該当する位置に、例えばアイコン４００が表示される。アイコン４００は、投稿位置に該当する施設を示す吹き出し表記を含むことができ、その中に、投稿者を識別できるような顔写真４１０と、投稿内容４２０の一部が表示される。このような表示形態は単なる一例であり、他の表示態様であってもよい。また、ユーザーがアイコン４００を選択することで、該当する投稿情報の詳細な内容を表示させたり、添付された画像や音声を再生させることが可能である。さらに、図示しない画面切替キーを選択することで、図１１（Ａ）のリスト状の画面に表示を変更することができる。図１１（Ｂ）の表示では、現在時刻から一定期間より以前の投稿情報が表示されるため、ユーザーが地図上の投稿位置に到達したとしても、投稿者は既にその投稿位置を離れていることが予想されるため、投稿者とユーザー間の接触が回避される。
【００４５】
なお、スマートフォン１００は、自身の記憶部１５０に地図データを保有している場合には、その地図データを用いて地図表示を行うが、もし、地図データを備えていない場合には、ＳＮＳサーバ２００または他の地図配信サーバに対し、現在位置Ｓの情報を提示することで、それらのサーバから地図データの配信を受けるようにしてもよい。
【００４６】
また、ユーザーは、投稿情報を目的地とする誘導案内サービスを受けることが可能である。この場合、スマートフォン１００がナビゲーション機能を搭載していれば、制御部１６０が目的地までの誘導経路を探索し、それをユーザーに提示することができる。他方、スマートフォン１００がナビゲーション機能を備えていない場合には、ＳＮＳサーバ２００から誘導案内情報を受け取り、これをユーザーに提示することで目的地までの案内を行うことができる。
【００４７】
上記実施例では、投稿情報選択部２３６は、位置情報が含まれかつ現在時刻から一定期間内の投稿情報が配信されないようにしたが、勿論、現在時刻から一定期間を経過した場合には、それらの投稿情報は配信される。また、投稿情報選択部２３６は、位置情報を含む投稿情報であって現在時刻から一定期間内の投稿情報以外の投稿情報のすべてを配信するようにしたが、配信される投稿情報をさらに絞り込むような選択をすることもできる。例えば、ユーザーからの指示に基づき所望の投稿者の投稿情報を選択したり、スマートフォン１００の現在位置から一定範囲内にある投稿情報を選択することも可能である。
【００４８】
次に、本発明の第２の実施例について説明する。第１の実施例では、ＳＮＳサーバ側で投稿情報の配信を制限するようにしたが、第２の実施例では、投稿情報の表示の制限をスマートフォン側で行う。このため、スマートフォン１００の制御部１６０は、第１の実施例のＳＮＳサーバの制御部２３０が有する位置情報判定部２３４、投稿情報選択部２３６と同等の機能を備える。図１２は、第２の実施例に係る表示システムにおける投稿情報の表示動作を説明するフローである。ここで、ステップＳ４００からＳ４１４のうち、第１の実施例と異なるのは、スマートフォン側で行われる位置情報判定（Ｓ４１０）と、投稿情報の選択（Ｓ４１２）であり、その他の動作は、図９のときと同様であるので省略する。
【００４９】
ＳＮＳサーバ２００は、スマートフォン１００から投稿情報の配信要求を受信すると（Ｓ４０６）、位置情報が付加されているか否かにかかわらず対象となる投稿情報のすべてをスマートフォン１００へ送信する（Ｓ４０８）。スマートフォン１００の制御部１６０は、投稿情報を受信すると、投稿情報に位置情報が含まれているか否かを判定し（Ｓ４１０）、位置情報が含まれている場合には、その投稿日時が現在時刻から一定期間内であるか否かを判定する。この動作は、第１の実施例のときに説明した図１０の動作と実質的に同じである。制御部１６０は、これらの判定に基づき、位置情報が含まれかつ現在時刻から一定期間内の投稿情報を非選択とし、それ以外の投稿情報を選択とする（Ｓ４１２）。そして、制御部１６０は、表示部１２０に、選択された投稿情報のみ表示させる（Ｓ４１４）。
【００５０】
このように、スマートフォン側において、ユーザーと接触の可能性のある投稿情報を非表示とすることで、ユーザーは、現在時刻を含む一定期間内に投稿された投稿者の位置を知るよしがないため、投稿者とユーザー間の接触が回避される。
【００５１】
次に、本発明の第３の実施例について説明する。第３の実施例では、投稿情報を投稿する側のスマートフォンにおいて投稿情報の投稿を制限するものであり、スマートフォンの制御部１６０がその機能を包含する。図１３は、第３の実施例に係る表示システムの動作を説明するフローである。ここでは、投稿者がスマートフォン１００Ａを用いて投稿情報をＳＮＳサーバ２００へ投稿し、ＳＮＳユーザーがスマートフォン１００Ｂを用いてＳＮＳサーバ２００から配信された投稿情報を表示させるものとする。
【００５２】
スマートフォン１００ＡにおいてＳＮＳアプリケーションが起動され（Ｓ５００）、次に、図５に示すような投稿画面を表示させる。投稿画面を利用して投稿者によって投稿情報が作成される（Ｓ５０２）。投稿情報に画像を添付する場合には、画像添付キー１７２により所望の画像が添付され、投稿情報に位置情報を付加する場合には、位置付加キー１７４が選択される。位置付加キー１７４が選択されると、制御部１６０は、現在位置取得部１３０によって取得されたスマートフォン１００Ａの現在位置を位置情報として投稿情報に付加する。
【００５３】
投稿情報が作成されると、投稿者は、送信キー１７６を選択する。このとき、制御部１６０は、投稿情報に位置情報が付加されているか否かを判定する（Ｓ５０４）。制御部１６０は、位置情報が付加されていない場合には、投稿情報をアップロードすべき投稿情報として選択する（Ｓ５０６）。他方、位置情報が付加されている場合には、制御部１６０は、投稿情報を非選択とし、このような投稿情報が現在時刻から一定期間経過するまでＳＮＳサーバ２００にアップロードされないようにする。通信部１４０は、選択された投稿情報をＳＮＳサーバ２００へ送信する（Ｓ５０８）。
【００５４】
ＳＮＳサーバ２００は、スマートフォン１００Ａから送信された投稿情報を受け取り（Ｓ５１０）、記憶部２００に蓄積し、これがデータベース化される（Ｓ５１２）。ＳＮＳユーザーのスマートフォン１００ＢにおいてＳＮＳアプリケーションが起動され（Ｓ５１４）、ＳＮＳサーバ２００に対して投稿情報の配信が要求されると、ＳＮＳサーバ２００は、これに応答して投稿情報を送信する（Ｓ５１６）。投稿者のスマートフォン１００Ａにおいて、位置情報を含みかつ現在時刻から一定期間内の投稿情報は、ＳＮＳサーバ２００にアップロードされていないので、ＳＮＳサーバ２００は、第１の実施例のときのように投稿情報の配信を制限することなく、対象となる投稿情報のすべてをスマートフォン１００Ｂへ送信する。ＳＮＳユーザーのスマートフォン１００Ｂは、配信された投稿情報を受信すると、その投稿情報を表示部１２０に表示する（Ｓ５１８）。
【００５５】
一方、投稿者のスマートフォン１００ＡにおいてリアルタイムでＳＮＳサーバにアップロードされなかった投稿情報は、スマートフォン１００Ａ内で時間管理され、投稿日時から一定期間だけ遅延された後に、ＳＮＳサーバ２００へアップロードされる（Ｓ５２０）。アップロードされた投稿情報は、ＳＮＳサーバ２００にデータベース化され、その後、ＳＮＳユーザーから配信要求があったときに配信される。
【００５６】
第３の実施例では、投稿者のスマートフォン１００Ａにおいて、位置情報が付加された投稿情報は、一定期間だけ遅延してＳＮＳサーバ２００にアップロードされるようにしたので、第１の実施例のようなＳＮＳサーバ２００による投稿情報の配信制限、第２の実施例のようなＳＮＳユーザーのスマートフォン１００Ｂによる投稿情報の表示制限が不要となり、ＳＮＳサーバ２００は、蓄積された投稿情報をリアルタイムで配信することが可能となり、ＳＮＳユーザーのスマートフォン１００Ｂは、受信した投稿情報をリアルタイムで表示することが可能になる。これにより、投稿情報の配信時間や表示時間の短縮化を図ることができる。
【００５７】
次に、第３の実施例の変形例について説明する。投稿者が、例えば図５に示すような投稿画面において位置付加キー１７４を選択することで投稿情報に位置情報を付加させた場合、制御部１６０は、図１４に示すようなユーザー選択画面４００を表示させることができる。ユーザー選択画面４００には、位置情報が付加されていることを確認するためのメッセージ４１０に加えて、投稿情報の送信時間（アップロード時間）を決定するための入力キーとして、例えば「１日後に自動投稿」４２０、「すぐ投稿」４３０、「お好み設定」４４０が表示される。お好み設定キー４４０が選択された場合には、さらに何時間後に投稿情報を自動投稿させるかを決定するための入力を行うことができる。このように、投稿者は、位置情報を付加する場合には、自身の判断において、投稿情報のアップロード時間を任意に設定することができる。
【００５８】
本発明の好ましい実施の形態について詳述したが、本発明は、特定の実施形態に限定されるものではなく、特許請求の範囲に記載された発明の要旨の範囲において、種々の変形・変更が可能である。
【符号の説明】
【００５９】
１００：スマートフォン                      １１０：入力部
１２０：表示部                              １３０：現在位置取得部
１４０：通信部                              １５０：記憶部
１６０：制御部                              ２００：ＳＮＳサーバ
２１０：通信部                              ２２０：記憶部
２３０：制御部                              ２３２：データベース構成部
２３４：位置情報判定部                      ２３６：投稿情報選択部
２３８：投稿情報送信部
【図１】
2014135024.tif 000003
【図２】
2014135024.tif 000004
【図３】
2014135024.tif 000005
【図４】
2014135024.tif 000006
【図５】
2014135024.tif 000007
【図６】
2014135024.tif 000008
【図７】
2014135024.tif 000009
【図８】
2014135024.tif 000010
【図９】
2014135024.tif 000011
【図１０】
2014135024.tif 000012
【図１１】
2014135024.tif 000013
【図１２】
2014135024.tif 000014
【図１３】
2014135024.tif 000015
【図１４】
2014135024.tif 000016